(57)【要約】【課題】  内部に収容された液体を変質することなく長期間保存でき、水等の供給時の作業効率の改善された、特に経腸栄養バッグとして好適な液体収容バッグを提供する。【解決手段】  上部が開閉自在な閉鎖手段で閉鎖され、下部にゴム管接続用の液体出口が設けられてなるバッグであって、該バッグの内部空間が、前記閉鎖手段に近接して設けられた容易に剥離可能な隔壁により、上下に流体密に区画され、該区画された下の空間に液体が収容されてなる液体収容バッグ。【選択図】  図１
2005154017.tif 000002
【特許請求の範囲】
【請求項１】
上部が開閉自在な閉鎖手段で閉鎖され、下部に液体出口が設けられてなるバッグであって、該バッグの内部空間が、前記閉鎖手段に近接して設けられたバージンプルーフ機能を備えた容易に剥離可能な隔壁により、上下に流体密に区画され、該区画された下の空間に液体が収容されるとともに、下部液体出口がねじ切りタイプの閉鎖部材で閉鎖された液体出口である液体収容バッグ。
【請求項２】
閉鎖手段がチャックシールである請求項１記載の液体収容バッグ。
【請求項３】
液体が濃縮経腸栄養剤である請求項１または２記載の液体収容バッグ。
【発明の詳細な説明】
【技術分野】
【０００１】
本発明は、予め液体の収容された液体収容バッグに関する。本発明の液体収容バッグは、特に泌縮液状の経腸栄養剤を収容する経腸栄養バッグに好適である。
【背景技術】
【０００２】
従来より、経口からの栄養摂取が困難な患者に対し、鼻や口からカテーテルを挿入して経腸栄養剤を注入する方法が行われている。詳しくは、経腸栄養バッグあるいは経腸栄養ボトルに収容された経腸栄養剤を、輸液セット、カテーテルを経て、患者の体内に注入するものである。ここで、経腸栄養バッグあるいは経腸栄養ボトルに収容された経腸栄養剤は、濃縮液状あるいは粉末状の経腸栄養剤に水あるいは温湯を加えて調製されたもので、他の容器で調製された後に経腸栄養バッグあるいは経腸栄養ボトルに移しかえられるか、経腸栄養バッグあるいは経腸栄養ボトル内で直接調製される。しかしながら、他の容器で調製した後に経腸栄養バッグあるいは経腸栄養ボトルに移しかえる方式のものは、他の清潔な容器を用意する等の手間がかかるとともに、ゴミ等が混入する可能性が高いという問題がある。
【０００３】
また、経腸栄養バッグ内で直接調製するものとして、例えば、特許文献１に示すものがある。このものは、液体に分散あるいは溶解する固形または液状の物質が収容された、再封鎖可能な液体注入口を備えた袋状容器であり、その実施例中には、液体注入口をチャックシールで構成したものや、さらにチャックシールの外側に熱シールしたシール部を設け使用時にこの熱シール部をハサミで切り落とすもの等が開示されているが、液体注入口をチャックシールのみで構成したものは、密封性が悪く収容した経腸栄養剤の品質に影響を及ぼす虞があり、またバージンプルーフが困難であるという欠点がある。またチャックシールの外側に熱シールしたシール部を設けた構成のものは、ハサミを使用する等作業効率が悪いという欠点がある。
【特許文献１】特開昭５７−８６２７５号公報
【発明の開示】
【発明が解決しようとする課題】
【０００４】
本発明は如上の事情に鑑みてなされたもので、内部に収容された液体を変質することなく長期間保存でき、水等の供給時の作業効率の改善された、特に経腸栄養バッグとして好適な液体収容バッグを提供することを目的とする。
【課題を解決するための手段】
【０００５】
本発明者等は上記目的を達成するために鋭意検討の結果、容易に剥離可能な隔壁をバッグ上部の開閉自在な閉鎖手段に近接して設けて、バッグの内部空間を上下に流体密に区画し、区画された下の空間に液体を収容することにより、収容された液体、例えば経腸栄養剤が変質することなく長期間保存できるとともに、水等の供給時の作業効率が改善されることを見出し、本発明に到達した。すなわち本発明は、上部が開閉自在な閉鎖手段で閉鎖され、下部に液体出口が設けられてなるバッグであって、該バッグの内部空間が、前記閉鎖手段に近接して設けられた容易に剥離可能な隔壁により、上下に流体密に区画され、該区画された下の空間に液体が収容されてなる液体収容バッグである。ここで、閉鎖手段はチャックシールであるのが好ましい。
【発明の効果】
【０００６】
本発明の液体収容バッグにより、内部に収容された液体が経腸栄養剤の場合、その品質が劣化することなく長期間保存できるとともに、水等を供給の際の手間が省ける。また、容易に剥離可能な隔壁によりバージンプルーフ機能も備えていることから、安全性のチェックもできる。
【発明を実施するための最良の形態】
【０００７】
本発明の実施の形態を図面に基づいて説明する。図１に示す液体収容バッグは、バッグ本体１と、バッグ本体１の下部（底部）に設けられた液体出口２と、バッグ本体１の上部に設けられた開閉自在な閉鎖手段（チャックシール）３からなり、バッグの内部空間はチャックシール３に近接して下部側に設けられた容易に剥離可能な隔壁４により上下に区画されている。
【０００８】
バッグ本体１は、ポリエチレン、ポリプロピレン、エチレン−酢酸ビニル共重合体等の合成樹脂シートを２枚重ねてその縁部を溶着し、袋状に形成したものであり、特に長期間保存する場合や酸化しやすい内容物の場合には、上記の合成樹脂シートにアルミ箔をラミネートしたものが好ましく採用される。必要ならばバッグ本体１の上端部には吊り下げ穴１１を設けてもよく、これによりバッグを点滴スタンドから吊り下げて使用することができる。吊り下げ手段としては、吊り下げ穴１１に限定されず、例えばバッグ本体１上部に紐をループ状に固着してもよい。
【０００９】
液体出口２は、ポリエチレン、ポリプロピレン、エチレン−酢酸ビニル共重合体等からなる合成樹脂で筒状に形成され、バッグ本体１に溶着されている。液体出口２の先端部は脆弱部を介して一体に成形されたねじ切りタイプの閉鎖部材２１で閉鎖されており、使用時にこの閉鎖部材２１をねじ切って、バッグ本体１内部と外部とを連通させるようになっている。そして、閉鎖部材２１を取り除いた液体出口２に点滴セットが接続される。尚、液体出口２の形状は上記のものに限定されず、嵌合あるいは螺合タイプのキャップで先端部を閉鎖してもよく、またゴム栓で閉鎖してもよい。
【００１０】
バッグの上部は、予め収容されている例えば濃縮液状の経腸栄養剤をうすめる水あるいは温湯等を供給するための供給口５になっており、供給口５はチャックシール３で閉鎖されている。このチャックシール３は、バック本体１内側の対向する位置に設けられた凸条と凹条が嵌合して閉鎖する構造になっており、必要に応じて開いたり閉じたりすることができる。尚、閉鎖手段としては円筒状に形成した供給口５に嵌合する蓋体であってもよい。
【００１１】
バッグの内部空間は、チャックシール３に近接して下部側に設けられた容易に剥離可能な隔壁４により、上下に流体密に区画されている。この隔壁４は、図１に示すように一部のみを容易に剥離可能な弱シール部４１にしてもよく、弱シール部４１はバッグ本体１を構成するフィルム同士が溶着しない温度に制御して帯状に外部から加圧することにより形成することができる。弱シール部４１は、液体の収容された室を外部から加圧すると容易に剥離する。尚、隔壁４はチャックシール３に近接して設けられるが、あまりに近接した位置に設けると隔壁４剥離の際に誤ってチャックシール３まで開放してしまう虞があるので、２ｃｍ以上の間隔をおくのが好ましい。
【００１２】
使用に際しては、液体、例えば濃縮経腸栄養剤を収容した室を外部から加圧して、この隔壁４を剥離した後、チャックシール３を開放して、水あるいは温湯を供給し、チャックシール３を閉鎖して混合する。そして、液体出口２の閉鎖部材２１をねじ切り、ここにゴム管タイプの点滴セットを接続する。尚、バッグには所定量の精製水等を収容し、粉末透析用剤と混合できるようにすることもできる。
【図面の簡単な説明】
【００１３】
【図１】本発明の液体収容バッグの一実施例を示す平面図である。
【符号の説明】
【００１４】
１    バッグ本体
１１  吊り下げ穴
２    液体出口
２１  閉鎖部材
３    チャックシール
４    隔壁
４１  弱シール部
５    供給口
【図１】
2005154017.tif 000003